(57)【要約】【課題】所望の消毒効果を有する消耗品を確実に交換する。【解決手段】消毒液収納部１０は、消毒液ボトル１０ａの収納を検知する収納検知手段としての収納センサ１０ｆと、消毒液ボトル１０ａに設けられたＲＦ−ＩＤタグ５１と無線にて情報を送受するＲＦ−ＩＤリーダ５０ａと、扉部１０ｃの開閉を制御するロック機構部１０ｂとを備え、これら各部は制御回路１００に接続されている。制御回路１００は、ＲＦ−ＩＤリーダ５０、５０ａ、…等から信号を受信するための送受信Ｉ／Ｆ部と、ロック機構部を制御するロック制御部と、各部の制御を行う制御部とからなる。【選択図】図６
2010110417.tif 000002
【特許請求の範囲】
【請求項１】
消耗品を用いて洗滌槽内にて内視鏡を洗滌・消毒する内視鏡洗滌消毒装置において、
前記消耗品は、前記消耗品に関連する関連情報を格納する情報格納手段を有するものとし、
扉部を開閉することで前記消耗品を収納する消耗品収納手段と、
前記扉部を施錠及び解錠する扉ロック手段と、
前記関連情報を読み出す情報読み出し手段と、
前記情報読み出し手段が読み出した前記関連情報に基づき前記扉ロック手段を制御するロック制御手段と、
を備えたことを特徴とする内視鏡洗滌消毒装置。
【請求項２】
前記関連情報は、前記消耗品を識別する識別情報及び前記消耗品の未使用時の有効期限を示す期限情報の少なくとも一方を含むことを特徴とする請求項１に記載の内視鏡洗滌消毒装置。
【請求項３】
前記期限情報は前記消耗品の製造日情報であって、
前記消耗品の種別毎の有効使用期間を予め格納している期間情報格納手段をさらに備え、
前記ロック制御手段は、前記製造日情報及び前記有効使用期間に基づいて前記未使用時の有効期限を算出することを特徴とする請求項２に記載の内視鏡洗滌消毒装置。
【請求項４】
前記ロック制御手段は、
前記情報読み出し手段が前記消耗品の前記消耗品収納手段への収納前に読み出した前記関連情報に基づき、前記扉ロック手段を制御し前記扉部を解錠すると共に、
前記情報読み出し手段が前記消耗品の前記消耗品収納手段への収納後に読み出した前記関連情報に基づき、前記ロック手段を制御し前記扉部を施錠することを特徴とする請求項１ないし３のいずれか１つに記載の内視鏡洗滌消毒装置。
【請求項５】
前記情報読み出し手段は、前記消耗品の前記消耗品収納手段への収納前に前記関連情報を読み出す第１の読み出し手段と、前記消耗品の前記消耗品収納手段への収納後に前記関連情報を読み出す第２の読み出し手段とを備えて構成されることを特徴とする請求項４に記載の内視鏡洗滌消毒装置。
【請求項６】
前記ロック制御手段は、
前記情報読み出し手段が前記消耗品の前記消耗品収納手段への収納前後に読み出した２つの前記関連情報を照合して、この２つの前記関連情報が一致する場合、前記ロック手段を制御し前記扉部を施錠することを特徴とする請求項４または５に記載の内視鏡洗滌消毒装置。
【請求項７】
前記消耗品収納手段は、前記消耗品が収納されたことを検知する収納検知手段を有し、
前記情報読み出し手段は、前記収納検知手段の検知結果に基づき前記消耗品の前記消耗品収納手段への収納後の前記関連情報を読み出すことを特徴とする請求項６に記載の内視鏡洗滌消毒装置。
【請求項８】
前記情報格納手段は、前記関連情報を無線にて送受するＲＦ−ＩＤタグであり、
前記情報読み出し手段は無線にて前記ＲＦ−ＩＤタグと情報を送受するＲＦ−ＩＤリーダであることを特徴とする請求項１ないし７のいずれか１つに記載の内視鏡洗滌消毒装置。
【請求項９】
前記消耗品は、前記内視鏡を洗滌・消毒するための液体を充填したボトルであって、
前記洗滌槽内に前記液体を供給する液体供給手段をさらに備えたことを特徴とする請求項１ないし８のいずれか１つに記載の内視鏡洗滌消毒装置。
【請求項１０】
前記液体供給手段は、前記液体を希釈水にて希釈して前記洗滌槽に供給する液体希釈手段を有し、
前記消耗品収納手段は、前記ボトル内の前記液体を前記液体希釈手段に送液する送液手段を有することを特徴とする請求項９に記載の内視鏡洗滌消毒装置。
【請求項１１】
前記液体は消毒液あるいは洗浄液であることを特徴とする請求項９または１０に記載の内視鏡洗滌消毒装置。
【請求項１２】
内視鏡を洗滌・消毒するための消耗品を交換・補充する消耗品交換工程と、前記消耗品を用いて前記洗滌槽内に収納した前記内視鏡を洗滌・消毒する洗滌・消毒工程とを有する内視鏡洗滌消毒装置の消耗品交換方法において、
前記消耗品に設けられた情報格納部に格納されている前記消耗品に関連する関連情報を読み出す情報読み出し工程と、
扉部を開閉することで前記消耗品を消耗品収納部に収納する消耗品収納工程と、
前記扉部を施錠及び解錠する扉ロック工程と、
前記情報読み出し工程にて読み出した前記関連情報に基づき、前記扉ロック工程での施錠及び解錠を制御するロック制御工程と、
を備えたことを特徴とする内視鏡洗滌消毒装置の消耗品交換方法。
【請求項１３】
前記関連情報は、前記消耗品を識別する識別情報及び前記消耗品の未使用時の有効期限を示す期限情報の少なくとも一方を含むことを特徴とする請求項１２に記載の内視鏡洗滌消毒装置の消耗品交換方法。
【請求項１４】
前記期限情報は前記消耗品の製造日情報であって、
前記ロック制御工程は、前記製造日情報及び期間情報格納部に予め格納されている前記消耗品の種別毎の有効使用期間に基づいて前記未使用時の有効期限を算出することを特徴とする請求項１３に記載の内視鏡洗滌消毒装置の消耗品交換方法。
【請求項１５】
前記ロック制御工程は、
前記情報読み出し工程にて前記消耗品の前記消耗品収納部への収納前に読み出した前記関連情報に基づき前記扉部を解錠すると共に、前記情報読み出し工程にて前記消耗品の前記消耗品収納部への収納後に読み出した前記関連情報に基づき前記扉部を施錠することを特徴とする請求項１２ないし１４のいずれか１つに記載の内視鏡洗滌消毒装置の消耗品交換方法。
【請求項１６】
前記情報読み出し工程は、前記消耗品の前記消耗品収納部への収納前に前記関連情報を読み出す第1の読み出し工程と、前記消耗品の前記消耗品収納部への収納後に前記関連情報を読み出す第２の読み出し工程とを備えて構成されることを特徴とする請求項１５に記載の内視鏡洗滌消毒装置の消耗品交換方法。
【請求項１７】
前記ロック制御工程は、
前記情報読み出し工程にて前記消耗品の前記消耗品収納部への収納前後に読み出した２つの前記関連情報を照合して、この２つの前記関連情報が一致する場合、前記消耗品の前記消耗品収納部への収納後に前記扉部を施錠することを特徴とする請求項１５または１６に記載の内視鏡洗滌消毒装置の消耗品交換方法。
【請求項１８】
前記消耗品収納部に前記消耗品が収納されたことを検知する収納検知工程をさらに有し、
前記情報読み出し工程は、前記収納検知工程での検知結果に基づき前記消耗品の前記消耗品収納部への収納後の前記関連情報を読み出すことを特徴とする請求項１７に記載の内視鏡洗滌消毒装置の消耗品交換方法。
【請求項１９】
前記消耗品は、前記内視鏡を洗滌・消毒するための液体を充填したボトルであることを特徴とする請求項１２ないし１８のいずれか１つに記載の内視鏡洗滌消毒装置の消耗品交換方法。
【発明の詳細な説明】
【技術分野】
【０００１】
本発明は、内視鏡を洗滌・消毒する内視鏡洗滌消毒装置及びその消耗品交換方法、特に洗滌・消毒に係る消耗品の交換に特徴のある内視鏡洗滌消毒装置及びその消耗品交換方法に関する。
【背景技術】
【０００２】
従来から、内視鏡は体腔内の検査および治療に広く利用されており、その内部には送気、送水、吸引等を行なうための各種の管路が組み込まれている。そして、内視鏡は、使用する毎に、その外表面および内部管路が洗滌消毒される。
【０００３】
こうした内視鏡の洗滌消毒に使用される内視鏡洗滌消毒装置は、従来から様々な形態のものが知られているが、基本的には、洗滌水を用いて内視鏡を洗滌する洗滌工程と、消毒液を使用して洗滌後の内視鏡を消毒する消毒工程と、その他、濯ぎ工程や乾燥工程とからなる一連の工程によって洗滌槽内の内視鏡を洗滌・消毒するものである。
【０００４】
このような内視鏡洗滌消毒装置にて用いられる消耗品は、使用された回数もしくは日数によりその性能が劣化し、限度を超えると要求性能が発揮されなくなる。そこで一般的に使用限度回数、もしくは使用限度日数が設定されており、その範囲内で使用する事が前提となる。
【０００５】
内視鏡洗滌消毒装置で使用される消耗品としては、供給される水の中から雑菌を含む不純物をろ過するための水フィルタ、内視鏡管路内の残水を除去する為の空気から、雑菌を含む不純物をろ過するためのエアフィルタ、消毒液のにおいを除去するガスフィルタ、洗滌消毒工程に使用する洗剤、消毒液、アルコール等がある。
【０００６】
このような消耗品には有効期限があるが、有効期限を過ぎても使用されてしまう可能性があるため、使用されている消耗品の有効期限を認識して警告を発する等の適切な処置をとることで消耗品の管理を行う技術が提案されている（特許文献１参照）。
【特許文献１】特開２００２−２７２８２２号公報
【発明の開示】
【発明が解決しようとする課題】
【０００７】
しかしながら、内視鏡消毒に使用される消耗品である例えば消毒液（過酢酸、フタラール等）は、未使用状態であっても有効期限が存在するが、従来の内視鏡洗滌消毒装置における消耗品の管理では、消耗品を交換した時点を基準にした使用限界情報に基づいて内視鏡洗滌消毒装置内での消耗品の利用可能性を判断しているため、例えば未使用状態ではあるが有効期限を越えている、すなわち十分な消毒性能が期待できない有効期限切れの、消耗品が交換され、内視鏡洗滌消毒装置に設置される恐れがある。
【０００８】
つまり、従来の内視鏡洗滌消毒装置には消耗品の未使用状態での有効期限のチェック機能がないために、誤って有効期限切れの消耗品が使用され、所望の十分な消毒効果を得ることができない恐れがある。
【０００９】
また、消毒液として消毒性能の低い類似消毒液が使われることも考えられるが、従来の内視鏡洗滌消毒装置は、期待される消毒性能を有する正規消毒液（正規消耗品）と、前記類似消毒液（類似消耗品）とを識別することを全く想定していないため、誤って類似消毒液（類似消耗品）に使用される可能性があり、同様に所望の十分な消毒効果を得ることができない恐れがある。
【００１０】
本発明は、このような事情に鑑みてなされたもので、所望の消毒効果を有する消耗品を確実に交換することのできる内視鏡洗滌消毒装置及びその消耗品交換方法を提供することを目的とする。
【課題を解決するための手段】
【００１１】
前記目的を達成するために、請求項１に記載の内視鏡洗滌消毒装置は、消耗品を用いて洗滌槽内にて内視鏡を洗滌・消毒する内視鏡洗滌消毒装置において、前記消耗品は前記消耗品に関連する関連情報を格納する情報格納手段を有するものとし、扉部を開閉することで前記消耗品を収納する消耗品収納手段と、前記扉部を施錠及び解錠する扉ロック手段と、前記関連情報を読み出す情報読み出し手段と、前記情報読み出し手段が読み出した前記関連情報に基づき前記扉ロック手段を制御するロック制御手段とを備えて構成される。
【００１２】
このように請求項１に記載の内視鏡洗滌消毒装置では、前記ロック制御手段が前記情報読み出し手段にて読み出した前記消耗品の前記関連情報に基づき、前記扉部を施錠及び解錠する前記扉ロック手段を制御することで、所望の消毒効果を有する消耗品を確実に交換することを可能とする。
【００１３】
請求項２に記載の内視鏡洗滌消毒装置のように、請求項１に記載の内視鏡洗滌消毒装置において、前記関連情報は、前記消耗品を識別する識別情報及び前記消耗品の未使用時の有効期限を示す期限情報の少なくとも一方を含むことが好ましい。
【００１４】
請求項３に記載の内視鏡洗滌消毒装置のように、請求項２に記載の内視鏡洗滌消毒装置において、前記期限情報は前記消耗品の製造日情報であって、前記消耗品の種別毎の有効使用期間を予め格納している期間情報格納手段をさらに備え、前記ロック制御手段は、前記製造日情報及び前記有効使用期間に基づいて前記未使用時の有効期限を算出することが好ましい。
【００１５】
請求項４に記載の内視鏡洗滌消毒装置のように、請求項１ないし３のいずれか１つに記載の内視鏡洗滌消毒装置であって、前記ロック制御手段は、前記情報読み出し手段が前記消耗品の前記消耗品収納手段への収納前に読み出した前記関連情報に基づき、前記扉ロック手段を制御し前記扉部を解錠すると共に、前記情報読み出し手段が前記消耗品の前記消耗品収納手段への収納後に読み出した前記関連情報に基づき、前記ロック手段を制御し前記扉部を施錠するように構成することができる。
【００１６】
請求項５に記載の内視鏡洗滌消毒装置のように、請求項４に記載の内視鏡洗滌消毒装置であって、前記情報読み出し手段は、前記消耗品の前記消耗品収納手段への収納前に前記関連情報を読み出す第１の読み出し手段と、前記消耗品の前記消耗品収納手段への収納後に前記関連情報を読み出す第２の読み出し手段とを備えて構成することができる。
【００１７】
請求項６に記載の内視鏡洗滌消毒装置のように、請求項４または５に記載の内視鏡洗滌消毒装置であって、前記ロック制御手段は、前記情報読み出し手段が前記消耗品の前記消耗品収納手段への収納前後に読み出した２つの前記関連情報を照合して、この２つの前記関連情報が一致する場合、前記ロック手段を制御し前記扉部を施錠するように構成することができる。
【００１８】
請求項７に記載の内視鏡洗滌消毒装置のように、請求項６に記載の内視鏡洗滌消毒装置であって、前記消耗品収納手段は、前記消耗品が収納されたことを検知する収納検知手段を有し、前記情報読み出し手段は、前記収納検知手段の検知結果に基づき前記消耗品の前記消耗品収納手段への収納後の前記関連情報を読み出すように構成することができる。
【００１９】
請求項８に記載の内視鏡洗滌消毒装置のように、請求項１ないし７のいずれか１つに記載の内視鏡洗滌消毒装置において、前記情報格納手段は、前記関連情報を無線にて送受するＲＦ−ＩＤタグであり、前記情報読み出し手段は無線にて前記ＲＦ−ＩＤタグと情報を送受するＲＦ−ＩＤリーダであることが好ましい。
【００２０】
請求項９に記載の内視鏡洗滌消毒装置のように、請求項１ないし８のいずれか１つに記載の内視鏡洗滌消毒装置であって、前記消耗品は、前記内視鏡を洗滌・消毒するための液体を充填したボトルであって、前記洗滌槽内に前記液体を供給する液体供給手段をさらに備えて構成することができる。
【００２１】
請求項１０に記載の内視鏡洗滌消毒装置のように、請求項９に記載の内視鏡洗滌消毒装置において、前記液体供給手段は前記液体を希釈水にて希釈して前記洗滌槽に供給する液体希釈手段を有し、前記消耗品収納手段が前記ボトル内の前記液体を前記液体希釈手段に送液する送液手段を有することが好ましい。
【００２２】
請求項１１に記載の内視鏡洗滌消毒装置のように、請求項９または１０に記載の内視鏡洗滌消毒装置において、前記液体は消毒液あるいは洗浄液であることが好ましい。
【００２３】
請求項１２に記載の内視鏡洗滌消毒装置の消耗品交換方法は、内視鏡を洗滌・消毒するための消耗品を交換する消耗品交換工程と、前記消耗品を用いて前記洗滌槽内に収納した前記内視鏡を洗滌・消毒する洗滌・消毒工程とを有する内視鏡洗滌消毒装置の消耗品交換方法において、前記消耗品に設けられた情報格納部に格納されている前記消耗品に関連する関連情報を読み出す情報読み出し工程と、扉部を開閉することで前記消耗品を消耗品収納部に収納する消耗品収納工程と、前記扉部を施錠及び解錠する扉ロック工程と、前記情報読み出し工程にて読み出した前記関連情報に基づき、前記扉ロック工程での施錠及び解錠を制御するロック制御工程とを備えて構成される。
【００２４】
請求項１２に記載の内視鏡洗滌消毒装置の消耗品交換方法では、前記ロック制御工程において、前記情報読み出し工程にて読み出した前記関連情報に基づき、前記扉ロック工程での施錠及び解錠を制御することで、所望の消毒効果を有する消耗品を確実に交換することを可能とする。
【００２５】
請求項１３に記載の内視鏡洗滌消毒装置の消耗品交換方法のように、請求項１２に記載の内視鏡洗滌消毒装置の消耗品交換方法において、前記関連情報は、前記消耗品を識別する識別情報及び前記消耗品の未使用時の有効期限を示す期限情報の少なくとも一方を含むことが好ましい。
【００２６】
請求項１４に記載の内視鏡洗滌消毒装置の消耗品交換方法のように、請求項１３に記載の内視鏡洗滌消毒装置の消耗品交換方法において、前記期限情報は前記消耗品の製造日情報であって、前記ロック制御工程は、前記製造日情報及び期間情報格納部に予め格納されている前記消耗品の種別毎の有効使用期間に基づいて前記未使用時の有効期限を算出することが好ましい。
【００２７】
請求項１５に記載の内視鏡洗滌消毒装置の消耗品交換方法のように、請求項１２ないし１４のいずれか１つに記載の内視鏡洗滌消毒装置の消耗品交換方法であって、前記ロック制御工程は、前記情報読み出し工程にて前記消耗品の前記消耗品収納部への収納前に読み出した前記関連情報に基づき前記扉部を解錠すると共に、前記情報読み出し工程にて前記消耗品の前記消耗品収納部への収納後に読み出した前記関連情報に基づき前記扉部を施錠するように構成することができる。
【００２８】
請求項１６に記載の内視鏡洗滌消毒装置の消耗品交換方法のように、請求項１５に記載の内視鏡洗滌消毒装置の消耗品交換方法であって、前記情報読み出し工程は、前記消耗品の前記消耗品収納部への収納前に前記関連情報を読み出す第1の読み出し工程と、前記消耗品の前記消耗品収納部への収納後に前記関連情報を読み出す第２の読み出し工程とを備えて構成することができる。
【００２９】
請求項１７に記載の内視鏡洗滌消毒装置の消耗品交換方法のように、請求項１５または１６に記載の内視鏡洗滌消毒装置の消耗品交換方法であって、前記ロック制御工程は、前記情報読み出し工程にて前記消耗品の前記消耗品収納部への収納前後に読み出した２つの前記関連情報を照合して、この２つの前記関連情報が一致する場合、前記消耗品の前記消耗品収納部への収納後に前記扉部を施錠するように構成することができる。
【００３０】
請求項１８に記載の内視鏡洗滌消毒装置の消耗品交換方法のように、請求項１７に記載の内視鏡洗滌消毒装置の消耗品交換方法であって、前記消耗品収納部に前記消耗品が収納されたことを検知する収納検知工程をさらに有し、前記情報読み出し工程は、前記収納検知工程での検知結果に基づき前記消耗品の前記消耗品収納部への収納後の前記関連情報を読み出すように構成することができる。
【００３１】
請求項１９に記載の内視鏡洗滌消毒装置の消耗品交換方法のように、請求項１２ないし１８のいずれか１つに記載の内視鏡洗滌消毒装置の消耗品交換方法において、前記消耗品は、前記内視鏡を洗滌・消毒するための液体を充填したボトルであることが好ましい。
【発明の効果】
【００３２】
以上説明したように、本発明によれば、所望の消毒効果を有する消耗品を確実に交換することができるという効果がある。
【発明を実施するための最良の形態】
【００３３】
第１の実施形態：
以下、添付図面を参照して、本実施形態に係る内視鏡洗滌消毒装置について詳細に説明する。図１は第１の実施形態に係る内視鏡洗滌消毒装置の外観を示す外観図であり、図２は図１の内視鏡洗滌消毒装置前面の扉を開放したときの内部のようすを示す図である。
【００３４】
図１に示すように、本実施形態の内視鏡洗滌消毒装置１には、内視鏡を洗滌消毒するための洗滌槽２と、処理工程時の薬液等の飛散を防止するためのトップカバー３と、処理工程のプログラム等を設定するためのコントロールパネル４と、前面扉５が設けられている。
【００３５】
前面扉５は工具不要で開閉することができ、その内部には消耗品を収納する収納部として、図２に示すように、供給される水の中から雑菌を含む不純物をろ過するための水フィルタ６ａを収納する水フィルタ部６と、内視鏡管路内の残水を除去するための空気から雑菌を含む不純物をろ過するエアフィルタ７ａを収納するエアフィルタ部７と、消毒液のにおいを除去するガスフィルタ８ａを収納するガスフィルタ部８のほかに、洗滌消毒工程に使用する洗剤を貯蔵している洗剤ボトル９ａを収納するための洗剤収納部９、消毒液を貯蔵している消毒液ボトル１０ａを収納するための消毒液収納部１０が設けられている。
【００３６】
なお、消耗品収納手段は、これら水フィルタ部６、エアフィルタ部７、ガスフィルタ部８、洗剤収納部９及び消毒液収納部１０により構成される。
【００３７】
また、消耗品収納手段を構成する各収納部には扉部が設けられており、各扉部には開閉を制御するロック機構が設けられている。具体的には水フィルタ部６にはロック機構部６ｂを有する扉部６ｃが設けられ、エアフィルタ部７にはロック機構部７ｂを有する扉部７ｃが設けられ、ガスフィルタ部８にはロック機構部８ｂを有する扉部８ｃが設けられ、洗剤収納部９にはロック機構部９ｂを有する扉部９ｃが設けられ、消毒液収納部１０にはロック機構部１０ｂを有する扉部１０ｃが設けられている。扉ロック手段はロック機構部６ｂ、７ｂ、８ｂ、９ｂ、１０ｂにより構成される。
【００３８】
また、コントロールパネル４に隣接して、消耗品である水フィルタ６ａ、エアフィルタ７ａ、ガスフィルタ８ａ、洗剤ボトル９ａ及び消毒液ボトル１０ａに設けられているＩＣタグであるＲＦ−ＩＤ（高周波自動認識システム： Radio Frequency Identification）タグと無線にて情報を送受するための情報読み出し手段及び第１の読み出し手段であるＲＦ−ＩＤリーダ５０が設けられている。
【００３９】
図３は図２の消毒液収納部に収納される消毒液ボトルの外観を示す図である。一例として、例えば防水機能・耐薬機能を有する情報格納手段としてのＲＦ−ＩＤタグ５１は消毒液ボトル１０ａの前面に設けられており、このＲＦ−ＩＤタグ５１をＲＦ−ＩＤリーダ５０に近づけることにより、ＲＦ−ＩＤタグ５１とＲＦ−ＩＤリーダ５０との間で情報の送受が可能となっており、ＲＦ−ＩＤタグ５１の内部には正規／非正規識別コードである正規品コードと、消耗品識別コードとしてのシリアルナンバーと、製造年月日等とからなる関連情報が記録されている。洗剤ボトル９ａも消毒液ボトル１０ａと同様に構成されている。なお、ＲＦ−ＩＤシステムに関しては公知であるので詳細な説明は省略する。
【００４０】
図４は図１のコントロールパネルの構成を示す図である。コントロールパネル４は、洗浄、消毒、濯ぎ及び乾燥工程等を番号にて表示する工程表示エリア４１、洗浄に要する時間を表示する洗浄時間表示エリア４２、消毒に要する時間を表示する消毒時間表示エリア４３からなる表示エリアと、各工程を選択する選択ボタン４４、各工程の開始を指示する開始ボタン４５及び各工程の停止を指示する停止ボタン４６のほかに、消耗品の交換を告知するための消耗品情報エリア４７が設けられている。
【００４１】
この消耗品情報エリア４７には、例えば、消耗品である水フィルタ６ａ、エアフィルタ７ａ、ガスフィルタ８ａ、洗剤ボトル９ａ及び消毒液ボトル１０ａの使用状況を発光状態で示す発光機能を備えた消耗品ボタンである、水フィルタボタン６Ａ、エアフィルタボタン７Ａ、ガスフィルタボタン８Ａ、洗剤ボトルボタン９Ａ及び消毒液ボトルボタン１０Ａが設けられている。この消耗品ボタンは、消耗品が使用限界内である場合には消灯しており、消耗品が使用限界に達すると、例えば赤色点灯することで、容易に消耗品の使用状況を発光状態にて告知することができるようになっている。
【００４２】
なお、本実施形態では、上記発光による告知のほかに音（音声）により消耗品が使用限界に達したことを告知するように構成することができる。
【００４３】
図５は図２の水フィルタ部の構成を示す構成図である。水フィルタ部６に収納される水フィルタ６ａは、水フィルタ本体６ｄとそれを収納するためのフィルタケース６ｅとからなる。水フィルタ本体６ｄには防水機能・耐薬機能を持ったＲＦ−ＩＤタグ５１が取付けられており、消毒液ボトル１０ａと同様に、その内部には正規品コードと、シリアルナンバー（消耗品識別コード）と製造年月日が記録されている。水フィルタ部６近傍にはＲＦ−ＩＤタグ５１と無線にて情報を送受する第２の読み出し手段であるＲＦ−ＩＤリーダ５０ａが設置され、ＲＦ−ＩＤリーダ５０ａは後述する制御回路に接続されている。また、扉部６ｃの開閉を制御するロック機構部６ｂ及びフィルタケース６ｅ内に水フィルタ本体６ｄが設置されたことを検知する収納検知手段としての収納センサ６ｆもまた、後述する制御回路に接続されている。
【００４４】
なお、エアフィルタ部７及びガスフィルタ部８も水フィルタ部６と同様に構成されている。
【００４５】
図６は図２の消毒液収納部の構成を示す構成図である。消毒液収納部１０は、消毒液ボトル１０ａの収納を検知する収納検知手段としての収納センサ１０ｆと、消毒液ボトル１０ａに設けられたＲＦ−ＩＤタグ５１（図３参照）と無線にて情報を送受する第２の読み出し手段であるＲＦ−ＩＤリーダ５０ａと、扉部１０ｃの開閉を制御するロック機構部１０ｂとを備え、これら各部は制御回路１００に接続されている。
【００４６】
消毒液ボトル１０ａは、消毒液収納部１０に収納されることで、送液手段としての管路７０及びポンプ７１を介して液体希釈手段としての消毒液（希釈）タンク７２に消毒液を送液するようになっている。また、この消毒液（希釈）タンク７２には、水フィルタ６ａを介した水道水が管路７３及び電磁弁７４を介して送水されて、消毒液が所定の濃度に希釈されるようになっている。また、所定の濃度に希釈された消毒液（希釈）タンク７２内の消毒液は、管路７５及びポンプ７６を介して洗滌槽２に送液される。
【００４７】
洗滌槽２では、この所定の濃度に希釈された消毒液のほかに、水フィルタ６ａを介した水道水が管路７７及び電磁弁７８を介して送水されるようになっており、消毒後の濯ぎ等に水道水が用いられる。また、洗滌槽２は、管路７９を介して洗滌槽２内の洗浄後の液体、あるいは消毒後の溶液、濯ぎ後の水道水等が、例えば図示しない廃液ドレイン等を介して装置外部に廃液されるようになっている。
【００４８】
なお、上記の各電磁弁７４、７８及びポンプ７１、７６には流量計（図示せず）等のセンサが設けられており、制御回路１００はこれらの流量計から流量情報に基づいて、電磁弁７４、７８及びポンプ７１、７６を制御することで、各管路に流れる流体制御を行うようになっている。なお、液体供給手段は、ポンプ７１、７６により構成される。
【００４９】
なお、洗剤収納部９も消毒液収納部１０と同様に構成されている。
【００５０】
図７は図５の制御回路の構成を示すブロック図である。制御回路１００は、主に供給された電圧を回路レベルに安定化させるための電源安定部２０と、供給された電源レベルを監視し、リセット信号を制御する電源監視部２１と、装置を制御するためのプログラムや、工程来歴、異常来歴等の動作データや消耗品毎の正規品コード、シリアルナンバー（消耗品識別コード）等の消耗品データを記録するための期間情報格納手段としてのメモリ部２３と、コントロールパネル４の表示及びＳＷ（スイッチ）入力を制御するためのパネル制御部２４と、ポンプ・電磁弁等の電気機器を動作させ、洗滌消毒を行う駆動部２５と、温度センサ、水位センサ、トップカバー位置センサ、各消耗品収納部に設けられた収納センサ（例えば図５の収納センサ６ｆ、図６の収納センサ１０ｆ）等のセンサ入力値を監視するセンサ制御部２６と、日付を管理するＲＴＣ（Real Time Clock)２７と、ＲＦ−ＩＤリーダ５０、５０ａ、…等から信号を受信するための送受信Ｉ／Ｆ部２８、２８ａ、…と、ロック機構部６ｂ、７ｂ、８ｂ、９ｂ、１０ｂ等の扉ロック部を制御するロック制御部３０と、上記した各部の制御を行う制御部２２とからなる。ロック制御手段は、ロック制御部３０及び制御部２２とから構成される。
【００５１】
メモリ部２３には、消耗品毎の正規品コード、シリアルナンバー（消耗品識別コード）以外の消耗品データとして、表１に示すように、消耗品毎の有効期間情報（有効使用期間＝有効期間）が記録されている。
【００５２】
【表１】
2010110417.tif 000003
【００５３】
このように構成された本実施形態の作用を図８ないし図１０のフローチャートを用いて説明する。図８は図７の制御部の消耗品補充時の処理の流れを示すフローチャートであり、図９は図８の交換消耗品の適合性チェック処理の流れを示すフローチャート、図１０は図８の交換消耗品の認証処理の流れを示すフローチャートである。
【００５４】
制御部２２は、消耗品である水フィルタ６ａ、エアフィルタ７ａ、ガスフィルタ８ａ、洗剤ボトル９ａ及び消毒液ボトル１０ａに設けられているＩＣタグであるＲＦ−ＩＤタグ５１より情報を読み出し、メモリ部２３に記録されている正規品コード、シリアルナンバー（消耗品識別コード）及び有効期間情報等の消耗品データに基づき、ロック制御部３０を制御する。処理の詳細を以下に説明する。
【００５５】
図８に示すように、制御部２２は、ユーザにより装置の電源が投入されると消耗品の交換が必要かどうかを判断する（ステップＳ１）。具体的には、制御部２２は、現在の消耗品が有効期限内かどうか、あるいは使用回数が所定回数を越えたかどうかにより、消耗品の交換が必要かどうかを判断する。
【００５６】
そして、消耗品（例えば消毒液ボトル１０ａ）の交換が必要と判断すると、制御部２２は、交換が必要な消耗品をコントロールパネル４の消耗品ボタン（例えば消毒液ボトルボタン１０Ａ）を点灯させることで、ユーザに告知する（ステップＳ２）。なお、交換が必要ないと判断すると、制御部２２は処理をステップＳ１２に移行する。
【００５７】
そして、制御部２２は、ユーザが交換しようとしている新たな消耗品についての、後述する交換消耗品の適合性チェック処理を実行する（ステップＳ３）。
【００５８】
この交換消耗品の適合性チェック処理により、制御部２２は、ユーザが交換しようとしている新たな消耗品の適合性を判断する（ステップＳ４）。
【００５９】
新たな消耗品が適合性を満たしていると判断すると、制御部２２は、ロック制御部３０に対して扉ロック部（例えばロック機構部１０ｂ）の解錠を指示する（ステップＳ５）。
【００６０】
そして、ユーザが解錠された扉部（例えば扉部１０ｃ）を開けて消耗品を交換することで、制御部２２は収納センサ（例えば収納センサ１０ｆ）により消耗品収納手段への収納を検知（ステップＳ６）すると、後述する交換消耗品の認証処理を実行する（ステップＳ７）。
【００６１】
この交換消耗品の認証処理は、ステップＳ３の交換消耗品の適合性チェック処理を適用した消耗品がステップＳ６にて検知した際の消耗品と一致するかどうかの認証を行う処理である。
【００６２】
そして、制御部２２は、収納した新たな消耗品が交換消耗品の適合性チェック処理を適用した消耗品と一致すると認証したかどうかを判断する（ステップＳ８）。
【００６３】
収納した新たな消耗品が交換消耗品の適合性チェック処理を適用した消耗品と一致すると認証した場合は、制御部２２は、ロック制御部３０に対して扉ロック部（例えばロック機構部１０ｂ）の施錠を指示する（ステップＳ９）し、消耗品ボタン（例えば消毒液ボトルボタン１０Ａ）を消灯し（ステップＳ１０）、処理を終了する。
【００６４】
なお、上記ステップＳ４にて新たな消耗品が適合性を満たしていない（不適合）と判断した場合、あるいは上記ステップＳ８にて収納した新たな消耗品が交換消耗品の適合性チェック処理を適用した消耗品と一致すると認証できない場合は、制御部２２は、消耗品ボタン（例えば消毒液ボトルボタン１０Ａ）を点滅し（ステップＳ１１）、ロック制御部３０に対して扉ロック部（例えばロック機構部１０ｂ）のロック状態（解錠／施錠状態）を保持して（ステップＳ１２）、処理を終了する。
【００６５】
つまり、制御部２２は、新たな消耗品が適合性を満たしていないと判断した場合は扉部を解錠せず、またステップＳ８にて収納した新たな消耗品が交換消耗品の適合性チェック処理を適用した消耗品と一致すると認証できない場合は扉部を施錠せずに、消耗品ボタンをそれぞれ点滅させてユーザに対して不適切な消耗品の交換を告知する。
【００６６】
つぎに、ステップＳ３の交換消耗品の適合性チェック処理を図９を用いて説明する。この処理では、制御部２２は、装置の上面に設けられた情報読み出し手段及び第１の読み出し手段であるＲＦ−ＩＤリーダ５０によりＲＦ−ＩＤタグ５１から消耗品の関連情報（正規品コードと、シリアルナンバーと製造年月日等）を読み出す（ステップＳ２１）。
【００６７】
そして、制御部２２は、読み出したＲＦ−ＩＤタグ５１から消耗品の関連情報のうちの正規品コードと、メモリ部２３に記録している消耗品データのうちの正規品コードとを比較し、ＲＦ−ＩＤタグ５１からの正規品コードを確認する（ステップＳ２２）。この確認処理では、制御部２２は、例えばＲＦ−ＩＤタグ５１から正規品コードが読み出せない、あるいはＲＦ−ＩＤタグ５１から読み出した正規品コードがメモリ部２３の正規品コードと一致しないと判断すると、ユーザが交換しようとしている消耗品が正規品でない、類似品等の不適切な製品と判断する。またユーザが交換しようとしている消耗品が正規品であると、制御部２２にて正規品コードが確認されることになる。
【００６８】
正規品コードを確認すると、制御部２２は、消耗品が有効期限内の製品かどうかを判断する（ステップＳ２３）。この有効期限内の製品かどうかの判断において、制御部２２は、読み出したＲＦ−ＩＤタグ５１から消耗品の関連情報のうちの製造年月日に、メモリ部２３に記録している消耗品データのうちの有効期間（表１参照）を加えた期日を有効期限として算出し（例えば、有効期限＝製造年月日＋有効期間）、ＲＴＣ２７からの現在日時情報に基づいて、算出した有効期限が現在日時を越えているかどうか（あるいは有効期限までの余裕期間が所定期間を満たしていない）により判断する。
【００６９】
そして、有効期限内の製品と判断すると、制御部２２は、消耗品の適合性を認定して（ステップＳ２４）、消耗品識別コードであるシリアルナンバーをメモリ部２３に格納して（ステップＳ２５）、処理を終了する。
【００７０】
なお、ステップＳ２２にて正規品コードが確認できない場合、あるいはステップＳ２３にて有効期限内の製品ではないと判断すると、制御部２２は、消耗品を不適合と認定して（ステップＳ２６）、処理を終了する。
【００７１】
続いて、ステップＳ７の交換消耗品の認証処理を図１０を用いて説明する。この処理では、制御部２２は、第２の読み出し手段であるＲＦ−ＩＤリーダ５０ａにより、消耗品収納手段に収納された消耗品のＲＦ−ＩＤタグ５１から消耗品識別コードであるシリアルナンバーを読み出し（ステップＳ３１）、このシリアルナンバー（消耗品識別コード）とステップＳ２５においてメモリ部２３に格納された消耗品のシリアルナンバー（消耗品識別コード）と比較する（ステップＳ３２）。そして、制御部２２は、ＲＦ−ＩＤタグ５１から読み出したシリアルナンバー（消耗品識別コード）とメモリ部２３に格納済みのシリアルナンバー（消耗品識別コード）とが一致するかどうか判断する（ステップＳ３３）。
【００７２】
そして、制御部２２は、ＲＦ−ＩＤタグ５１から読み出したシリアルナンバー（消耗品識別コード）とメモリ部２３に格納済みのシリアルナンバー（消耗品識別コード）とが一致すると判断すると、同一の消耗品として認証し（ステップＳ３４）、一致しない場合には異なる消耗品として不認証として（ステップＳ３５）、処理を終了する。
【００７３】
このように本実施形態では、以下のように、所望の消毒効果を有する消耗品を確実に交換することができるという効果を有する。
【００７４】
（１）消耗品の交換の必要性を検知すると、ユーザが交換しようとしている消耗品の適合性をチェックし、交換消耗品の適合性チェック処理において適合性が認められた消耗品の場合のみ扉部のロックを解錠するので、有効期限が切れた（あるいは十分な有効期限のない）消耗品が誤って消耗品を収納する収納部に設置されることを確実に防止できる。
【００７５】
（２）同様に、交換消耗品の適合性チェック処理において適合性が認められた消耗品の場合のみ扉部のロックを解錠するので、正規品以外の製品の消耗品が誤って消耗品を収納する収納部に設置されることを確実に防止できる。
【００７６】
（３）さらに、扉部のロックの解錠後に、消耗品が収納部内に設置されたことを検知すると、適合性が認められた消耗品であるかどうかを交換消耗品の認証処理にて検証し、適合性が認められた消耗品であると認証された場合のみ、扉部のロックを施錠するので、適合性が認められていない消耗品が収納部に設置されることを確実に防止できる。
【００７７】
なお、本実施形態では、情報読み出し手段として、第１の読み出し手段であるＲＦ−ＩＤリーダ５０及び第２の読み出し手段であるＲＦ−ＩＤリーダ５０ａを設けるとしたが、これに限らず、例えばＲＦ−ＩＤリーダ５０のみで情報読み出し手段を構成し、収納前後のＲＦ−ＩＤタグ５１を読み込むようにしてもよく、例えば収納前の読み出しのタイミングは消耗品ボタンの押下のタイミングをトリガとし、収納後の読み出しのタイミングは収納検知手段である収納センサの検出タイミングをトリガとすることができる。
【００７８】
また、消耗品ボタンが押下されることで、扉部のロック機構部を解錠し、交換が必要な消耗品を取り出した後に、新たな消耗品のチェック、認証及び収納を実行するように構成する場合には、すでに扉部のロック機構部が解錠されているので、新たな消耗品を収納した後に、上述した消耗品の適合性のチェック処理（図９参照）及び交換消耗品の認証処理（図１０参照）を実行すればよく、このような場合には、ＲＦ−ＩＤリーダ５０は必要なく、ＲＦ−ＩＤリーダ５０ａのみで情報読み出し手段を構成することができる。つまり、この場合には、古い消耗品と新たな消耗品とを消耗品収納手段において交換することが可能であるが、ＲＦ−ＩＤリーダ５０ａにより読み出したＲＦ−ＩＤタグ５１の情報に基づく消耗品の適合性のチェック処理及び交換消耗品の認証処理により、消耗品収納手段内の新たな消耗品が有効期限の切れた、あるいは正規品以外の消耗品と判断した場合には、制御部２２がロック機構部の施錠を行わないように制御することで、本実施形態と同様な効果を得ることが可能となる。
【００７９】
また、ＲＦ−ＩＤリーダ５０のみで情報読み出し手段を構成し、ＲＦ−ＩＤタグ５１からの情報の読み出しを収納前のみに実施するように構成にしても良い。この場合も、ＲＦ−ＩＤタグ５１から消耗品の関連情報（正規品コードと、シリアルナンバーと製造年月日等）を読み出し、消耗品が正規品であるかの確認と、消耗品が有効期限内の製品かどうかの判断を行うので、本実施形態と同様な効果を得ることができる。また、この構成の場合、収納後にはＲＦ−ＩＤタグ５１からの情報の読み出しを実施しないので、ユーザーがアクセスできる場所（例えばコントロールパネル４の近傍）に通信距離の短いＲＦ−ＩＤリーダ５０を配置すれば良く、短い通信距離という制約はあるが、比較的性能の低い安価なＲＦ−ＩＤリーダ５０を使用することができる。
【００８０】
さらに本実施例では、情報格納手段がＲＦ−ＩＤタグで、情報読み出し手段がＲＦ−ＩＤリーダであるとして説明したが、これに限らず、例えば情報格納手段をバーコード等の１次元情報コードあるいはＱＲコード等の２次元情報コードが印刷された情報ラベルとし、情報読み出し手段を、上記の情報ラベルを撮影し画像処理により１次元情報コードあるいは２次元情報コードを復調する情報装置としてもよい。
【００８１】
以上、本発明の内視鏡洗滌消毒装置について詳細に説明したが、本発明は、以上の例には限定されず、本発明の要旨を逸脱しない範囲において、各種の改良や変形を行ってもよいのはもちろんである。
【図面の簡単な説明】
【００８２】
【図１】第１の実施形態に係る内視鏡洗滌消毒装置の外観を示す外観図
【図２】図１の内視鏡洗滌消毒装置前面の扉を開放したときの内部のようすを示す図
【図３】図２の消毒液収納部に収納される消毒液ボトルの外観を示す図
【図４】図１のコントロールパネルの構成を示す図
【図５】図２の水フィルタ部の構成を示す構成図
【図６】図２の消毒液収納部の構成を示す構成図
【図７】図５の制御回路の構成を示すブロック図
【図８】図７の制御部の消耗品補充時の処理の流れを示すフローチャート
【図９】図８の交換消耗品の適合性チェック処理の流れを示すフローチャート
【図１０】図８の交換消耗品の認証処理の流れを示すフローチャート
【符号の説明】
【００８３】
１…内視鏡洗滌消毒装置、２…洗滌槽、３…トップカバー、４…コントロールパネル、５…前面扉、６…水フィルタ部、７…エアフィルタ部、８…ガスフィルタ部、９…洗剤収納部、６ｂ（７ｂ、８ｂ、９ｂ、１０ｂ）…ロック機構部、６ｃ（７ｃ、８ｃ、９ｃ、１０ｃ）…扉部、１０…消毒液収納部、２０…電源安定部、２１…電源監視部、２２…制御部、２３…メモリ部、２４…パネル制御部、２５…駆動部、２６…センサ制御部、２７…ＲＴＣ、２８、２８ａ…送受信Ｉ／Ｆ部、３０…ロック制御部、５０…ＲＦ−ＩＤリーダ、５１…ＲＦ−ＩＤタグ、１００…制御回路
【図１】
2010110417.tif 000004
【図２】
2010110417.tif 000005
【図３】
2010110417.tif 000006
【図４】
2010110417.tif 000007
【図５】
2010110417.tif 000008
【図６】
2010110417.tif 000009
【図７】
2010110417.tif 000010
【図８】
2010110417.tif 000011
【図９】
2010110417.tif 000012
【図１０】
2010110417.tif 000013